(57)【特許請求の範囲】
【請求項１】
吸込室を有し且つ該吸込室の吸込開口が底面に形成された吸込口本体と、前記吸込室に回転自在に設けられた回転清掃体とを備え、前記吸込口本体の前部には前記吸込室と外部とを連通する吸気孔が形成され、該吸気孔からの吸気流により前記回転清掃体が回転する吸込口体であって、
前記吸気孔の吸気入口は被清掃面に面して該被清掃面上の塵埃を吸い込み、前記吸込口本体の底面には前記吸気入口の後方且つ前記吸込開口の前方に位置して集塵用の壁状部材が設けられていることを特徴とする吸込口体。
【請求項２】
前記吸気孔は、前方に向けて下方に傾斜していることを特徴とする請求項１に記載の吸込口体。
【請求項３】
前記壁状部材は、その下部が前記被清掃面に接触することを特徴とする請求項１又は請求項２に記載の吸込口体。
【請求項４】
前記壁状部材は、ブラシ又はブレードであることを特徴とする請求項１乃至請求項３のいずれか１項に記載の吸込口体。
【請求項５】
請求項１乃至請求項４のいずれか１項に記載の吸込口体を備えることを特徴とする電気掃除機。
【発明の詳細な説明】
【０００１】
【発明の属する技術分野】
本発明は、吸込室に回転清掃体が回転自在に設けられた吸込口体と、この吸込口体を備えた電気掃除機に関する。
【０００２】
【従来の技術】
従来から、図９及び図１０に示すように、吸込室１を有し且つこの吸込室１の吸込開口２が底面３ａに形成された吸込口本体３と、吸込室１に回転自在に設けられた回転清掃体４とを備え、吸込口本体３の前部に吸込室１と外部とを連通する吸気孔５が形成された吸込口体６が知られている。
【０００３】
かかる吸込口体６では、これが接続された図示を略す電気掃除機本体の駆動により吸込室１が負圧になると、被清掃面上の塵埃が吸込開口２から吸い込まれるとともに吸気孔５から外気が吸い込まれ、この吸気流が吹き付けられることにより回転清掃体４が矢印Ｐ方向に回転して被清掃面上の塵埃を掻き上げる。
【０００４】
【発明が解決しようとする課題】
ところで、この種の吸込口体では、吸込口本体３の底面３ａに、吸込開口２の前方に位置して吸込室１の真空度を確保するためのブレードが設けられたものがあるが、吸込口体を前進させるとそのブレードの前面に押されてブレードの前方に塵埃が溜まり、前進させていた吸込口体を後退させると溜まった塵埃が被清掃面上にそのまま残り、結局はそれを吸い込むことができずに取扱いに不便であるという問題があった。
【０００５】
一方、吸気孔の吸気入口が被清掃面に面してそれが塵埃を吸い込む吸込口体も開発されているが（例えば、特願平１１−３１６４９６号参照）、かかる構成のものであっても吸込室の真空度を確保するための手段は施されていることが望ましい。
【０００６】
本発明は、上記の事情に鑑みて為されたもので、塵埃の吸い残しが生じにくく取扱いに便利で且つ吸込室の真空度を確保することのできる吸込口体と、この吸込口体を用いた電気掃除機とを提供することを課題としている。
【０００７】
【課題を解決するための手段】
上記課題を解決するため、請求項１の発明は、吸込室を有し且つ該吸込室の吸込開口が底面に形成された吸込口本体と、前記吸込室に回転自在に設けられた回転清掃体とを備え、前記吸込口本体の前部には前記吸込室と外部とを連通する吸気孔が形成され、該吸気孔からの吸気流により前記回転清掃体が回転する吸込口体であって、前記吸気孔の吸気入口は被清掃面に面して該被清掃面上の塵埃を吸い込み、前記吸込口本体の底面には前記吸気入口の後方且つ前記吸込開口の前方に位置して集塵用の壁状部材が設けられていることを特徴とする。
【０００８】
請求項２の発明は、請求項１に記載の吸込口体において、前記吸気孔は、前方に向けて下方に傾斜していることを特徴とする。
請求項３の発明は、請求項１又は請求項２に記載の吸込口体において、前記壁状部材は、その下部が前記被清掃面に接触することを特徴とする。
【０００９】
請求項４の発明は、請求項１乃至請求項３のいずれか１項に記載の吸込口体において、前記壁状部材は、ブラシ又はブレードであることを特徴とする。
【００１０】
請求項５の発明は、請求項１乃至請求項４のいずれか１項に記載の吸込口体を備える電機掃除機を特徴とする。
【００１１】
【発明の実施の形態】
以下、本発明の実施の形態を図面に基づいて説明する。
【００１２】
図１において、１０は電気掃除機本体で、この電気掃除機本体１０内には集塵室１１とこの集塵室１１を負圧にする電動送風機１２とが設けられている。集塵室１１には集塵フィルタ１３が設けられている。
【００１３】
１４は一端が電気掃除機本体１０に着脱可能に接続されているホースで、このホース１４の他端には手元操作管１５が設けられ、手元操作管１５には把手部１６が設けられている。この把手部１６には手元操作部１７が設けられており、手元操作部１７には、電動送風機１２の電源を切るオフスイッチＳ１と、電動送風機１２のパワーを強・弱に設定する強弱スイッチＳ２と、電動送風機１２のパワーを自動設定する自動スイッチＳ３とが設けられている。
【００１４】
手元操作管１５には延長管１８が着脱可能に接続され、延長管１８の先端部には吸込口体１９が着脱可能に接続されている。
【００１５】
吸込口体１９は、図２乃至図５に示すように、吸込室２０を有する吸込口本体２１と、吸込口本体２１の後部に上下方向に回動可能に設けられて延長管１８に着脱自在に接続される接続管２２と、吸込口本体２１の底面２１ａに設けられて吸込口体１９の前進・後退をスムーズにする前輪４７，４７及び後輪４８，４８とを備えている。吸込口本体２１の底面２１ａには吸込室２０の吸込開口２３が形成され、その吸込室２０には回転清掃体２４が回転自在に設けられている。回転清掃体２４は複数のブレード２５を有している（図６参照）。
【００１６】
吸込口本体２１は、下ケース２６と、この下ケース２６に取り付けられた上ケース２７と、吸込口本体２１の側部に位置する部分が下ケース２６と上ケース２７とに挟み込まれて保持されたバンパ２８と、下ケース２６と上ケース２７とに挟み込まれた風路管２９と、この風路管２９の外周に回動自在に取り付けられた回転管３０と、この回転管３０に図示しないネジにより固定された断面がほぼＵ字形のカバー３１とを有している。回転管３０の後部上側には、接続管２２の下端前部に設けられた軸部３２が枢支され、接続管２２はその軸部３２を中心にして前後方向に回動可能となっている。
【００１７】
下ケース２６は、図６に示すように、底面２１ａに形成された吸込開口２３を有しており、この吸込開口２３の後方には吸込開口２３に沿って隔壁３３が形成されている。そして、下ケース２６、隔壁３３、上ケース２７、上ケース２７に形成された隔壁（不図示）、及びバンパ２８によって吸込室２０が区画形成されている（図５参照）。なお、その上ケース２７の隔壁は下ケース２６の隔壁３３上に当接されている。
【００１８】
下ケース２６の前端両側には左右方向に延びた一対の傾斜面３４，３４が形成されており、この傾斜面３４，３４は前方に向けて下方に傾斜している。各傾斜面３４の前後方向の長さ、すなわち斜面の長さは下ケース２６の肉厚よりも長く設定されている。また、二つの傾斜面３４，３４の間には中空の筒状壁３５が設けられている。
【００１９】
バンパ２８は、吸込口本体２１の前端を保護する左右方向に延びた前ガード部３６と、この前ガード部３６の両端から後方に延びて吸込口本体２１の側部を保護する側ガード部３７，３７とを有している。前ガード部３６は、上ケース２７の前端に沿って左右方向に延び、且つ、前方に向けて下方に傾斜した帯状に形成されている。この前ガード部３６の前端３６ａは下ケース２７の前端より前方に突出しており、前ガード部３６の下面３６ｂは前方に向けて下方に傾斜している。
【００２０】
また、前ガード部３６の下面３６ｂの中央部には脚部３８が形成され、この脚部３８は下ケース２６の筒状壁３５の上面に接合されている。また、前ガード部３６の下面３６ｂの両側にも脚部３９，３９が形成され、この脚部３９，３９は下ケース２６の前壁部４０，４０の上面に接合されている。
【００２１】
前ガード部３６の下面３６ｂの傾斜角は下ケース２６の傾斜面３４の傾斜角より小さく設定され、また、その下面３６ｂの前後方向の長さは上ケース２７の肉厚より長く設定されている。そして、バンパ２８の前ガード部３６と下ケース２６の傾斜面３４，３４とによって吸気孔４１，４１が形成されている。すなわち、吸気孔４１，４１の上側がバンパ２８によって形成され、吸気孔４１，４１の下側が下ケース２６によって形成され、各吸気孔４１の吸気入口４１ａの上側が下側よりも前方に突出して吸気入口４１ａが被清掃面Ｑに面している。
【００２２】
各吸気孔４１は、前方に向けて下方に傾斜しているとともに、前後方向の長さが下ケース２６や上ケース２７の肉厚よりも十分に長くなっている。さらに、各吸気孔４１は、その吸気入口４１ａ側の寸法よりも吸気出口４１ｂ側の寸法が小さく形成されており、入口から出口にかけて絞られた形状となっている。また、吸気出口４１ｂは回転清掃体２４の上側のブレード２５に向けられている。
【００２３】
風路管２９は、左右方向にラッパ状に広がり吸込室２０に臨む案内部４２と、案内部４２に連続する断面円形の管路部４３とを有している。この管路部４３の外周には、回転管３０の先端部３０ａが回動自在に嵌合されている。そして、風路管２９、回転管３０及びカバー３１を介して吸込室２０と接続管２２とが連通している。
【００２４】
また、回転管３０に取り付けたカバー３１と接続管２２との間にはシャッター４４が介在され、このシャッター４４は、図７に示すように、接続管２２を起立させた際にカバー３１の後端と接続管２２の先端との間に形成される隙間を塞ぐようになっている。一方、図８に示すように接続管２２を倒伏させた際には、シャッター４４がカバー３１内に入り込むとともに真っ直ぐに形成された接続管２２の端部が回転管３０の風路を閉塞しないようになっている。
【００２５】
吸込口本体２１の底面２１ａには、壁状部材としてのブレード４５が吸気入口４１ａ，４１ａの後方且つ吸込開口２３の前方に位置して設けられている。さらに、吸込口本体２１の底面２１ａには、ブラシ４６が吸込開口２３の後方に位置して設けられている。ここでは、ブレード４５及びブラシ４６は吸込開口２３の略全幅にわたり左右方向に沿って延設され、ブレード４５の下端４５ａ及びブラシ４６の下端４６ａはフローリング等の床面を清掃する場合にもその床面に接触するようになっている。
【００２６】
つぎに、上記のように構成される吸込口体及び電気掃除機の動作について説明する。
【００２７】
手元操作部１７の強弱スイッチＳ２又は自動スイッチＳ３を操作すると、電動送風機１２が駆動されて集塵室１１が負圧になり、ホース１４、延長管１８、接続管２２、回転管３０及び風路管２９を介して吸込室２０が負圧となる。この負圧により、吸込口本体２１の吸込開口２３から外気とともに塵埃が吸い込まれ、この外気と塵埃とが吸込室２０、風路管２９、回転管３０、接続管２２、延長管１８及びホース１４を介して集塵室１１へ導かれ、集塵フィルタ１３に塵埃が集められる。
【００２８】
他方、吸込室２０の負圧により、吸気孔４１，４１から外気が吸気され、この吸気流が回転清掃体２４の上側のブレード２５に吹き付け、回転清掃体２４が矢印Ｐ方向へ回転して被清掃面Ｑ上の塵埃を掻き上げる。また、吸気孔４１，４１の吸気入口４１ａ，４１ａは下方に向けられており、しかも、吸気孔４１，４１の上部であるバンパ２８の前端３６ａが下ケース２６よりも前方に突出しているので、その前端３６ａを壁に当接させることにより、吸気孔４１，４１が吸気する外気とともに壁際の床の塵埃を効率よく吸い込むことができる。このとき、バンパ２８の前端３６ａが下ケース２６よりも前方に突出しているので、壁やその他の家具等を傷つけてしまうことが防止され、吸気孔４１，４１の前後方向の長さが上ケース２７や下ケース２６の肉厚よりも十分に長くなっているので、ブレード２５に吹き付ける空気を十分に整流して回転清掃体２４を効率よく回転させることができる。
【００２９】
また、このように吸気孔４１，４１が被清掃面Ｑ上の塵埃を吸い込むとともに、吸込口本体２１の底面２１ａに吸気入口４１ａの後方且つ吸込開口２３の前方に位置してブレード４５が設けられているので、吸込口体２１の前進時にはブレード４５の前方に塵埃が集められ、この塵埃が吸気入口４１ａ，４１ａから吸気孔４１，４１を通して吸込室２０に吸い込まれる一方、吸込口体２１の後退時にはブレード４５の後方に塵埃が集められてこの塵埃が吸込開口２３から吸い込まれるので、塵埃の吸い残しが生じにくく取扱いに便利である。さらに、ブレード４５は吸込室２０の真空度を確保する役割をも果たすので、結果として吸い残しの発生を防止しつつ吸込力の低下を抑えることができるが、ここでは、ブレード４５の下端４５ａが被清掃面Ｑに接触するので、とりわけ高次元にその両立を図ることができる。
【００３０】
なお、上記実施の形態では壁状部材としてブレード４５を設けたが、ブレードの代わりにブラシを設けてもよい。また、壁状部材を吸込開口２３の略全幅にわたり左右方向に沿って設けたが、必ずしもこのように全幅にかけて設ける必要はなく、より短い複数の壁状部材を所定間隔をおいて設ける等してもよい。
【００３１】
【発明の効果】
以上説明したように、請求項１の発明によれば、吸気孔の吸気入口が被清掃面に面して被清掃面上の塵埃を吸い込み、吸込口本体の底面に吸気入口の後方且つ吸込開口の前方に位置して集塵用の壁状部材が設けられているので、吸込口体の前進時には壁状部材の前方に塵埃が集められ、この塵埃が吸気入口から吸気孔を通して吸込室の側に吸い込まれる。また、吸込口体の後退時には壁状部材の後方に塵埃が集められ、この塵埃が吸込開口から吸い込まれるので、塵埃の吸い残しが生じにくく取扱いに便利である。さらに、壁状部材は吸込室の真空度を確保する役割をも果たすので、結果として吸い残しの発生を防止しつつ吸込力の低下を抑えることができる。
【００３２】
請求項３の発明によれば、壁状部材の下部が被清掃面に接触するので、壁状部材の集塵効率及び吸込室の真空度をより高めることができる。
【００３３】
請求項４の発明によれば、汎用性あるブラシ又はブレードを用いて請求項１又は請求項２の発明の効果を得ることができる。
【００３４】
請求項５の発明によれば、請求項１乃至請求項４のいずれかに係る発明の効果を奏する電気掃除機を提供することができる。
【図面の簡単な説明】
【図１】本発明に係る吸込口体を備えた電気掃除機を示す斜視図である。
【図２】図１の吸込口体を拡大して示す平面図である。
【図３】図１の吸込口体を拡大して示す正面図である。
【図４】図１の吸込口体を拡大して示す側面図である。
【図５】図４の吸込口体の詳細構成を示す縦断面図である。
【図６】吸込口体の下ケースを示す平面図である。
【図７】接続管を起立させた状態を示す縦断面図である。
【図８】接続管を倒伏させた状態を示す縦断面図である。
【図９】従来の吸込口体を示す平面図である。
【図１０】図９の吸込口体の部分断面を示す側面図である。
【符号の説明】
１０    電気掃除機本体
１９    吸込口体
２０    吸込室
２１    吸込口本体
２１ａ  底面
２３    吸込開口
２４    回転清掃体
４１    吸気孔
４１ａ  吸気入口
４５    ブレード（壁状部材）
４５ａ  下端（下部）
Ｑ      被清掃面
【図１】
0003656816.tif 000002
【図２】
0003656816.tif 000003
【図３】
0003656816.tif 000004
【図４】
0003656816.tif 000005
【図５】
0003656816.tif 000006
【図６】
0003656816.tif 000007
【図７】
0003656816.tif 000008
【図８】
0003656816.tif 000009
【図９】
0003656816.tif 000010
【図１０】
0003656816.tif 000011